(57)【要約】【課題】内部への水の浸入をより確実に防ぐことのできる電源装置を提供する。【解決手段】電源装置は、複数の外装板金を備える電源装置であって、各前記外装板金のすき間により形成される経路が、上方向への経路である上経路を含み、前記電源装置は、さらに、前記上経路より先の位置に第１シール部材を備える。【選択図】図６
2019003756.tif 000002
【特許請求の範囲】
【請求項１】
複数の外装板金を備える電源装置であって、
各前記外装板金のすき間により形成される経路が、上方向への経路である上経路を含み、
前記電源装置は、さらに、
前記上経路より先の位置に第１シール部材を備える、電源装置。
【請求項２】
前記電源装置は、さらに、
前記上経路より手前の位置に第２シール部材を備える、請求項１に記載の電源装置。
【請求項３】
前記外装板金同士の間の経路に前記第２シール部材が設けられる、請求項２に記載の電源装置。
【請求項４】
前記電源装置は、さらに、
内装板金を備え、
前記内装板金と前記外装板金との間に、前記第１シール部材の一部が設けられる、請求項１から請求項３のいずれか１項に記載の電源装置。
【請求項５】
前記複数の外装板金は、
天板の外装板金と、
側板の外装板金とを含み、
前記天板の外装板金と前記側板の外装板金との間に前記第１シール部材が設けられ、
前記第１シール部材は、前記天板の外装板金の外形に沿って周回した形状を有している、請求項１から請求項４のいずれか１項に記載の電源装置。
【請求項６】
前記電源装置は、さらに、
内装板金を備え、
前記天板の外装板金は、自己の主表面の端においてＲ部を有しており、
前記内装板金は、前記Ｒ部の形状に沿うように階段状に形成された階段部を含み、
前記階段部の先と前記天板の外装板金との間に、前記第１シール部材の一部が設けられる、請求項５に記載の電源装置。
【発明の詳細な説明】
【技術分野】
【０００１】
本発明は、電源装置に関する。
【背景技術】
【０００２】
一般に、電源装置は、内部に電池などの電気部品を収容するため、内部への水の浸入を防ぐ必要がある。たとえば、特許文献１（特開２０１６−０３１９１５号公報）には、防水機構を備える蓄電モジュールが開示されている。すなわち、蓄電モジュールは、外部と接続される端子と当該端子に電気的に接続された蓄電要素とを有する蓄電本体と、前記端子が挿通される端子挿通孔が形成され、前記蓄電本体を収容するケースとを備え、前記ケースは、当該ケースと前記端子との間の隙間を塞いで外部からの水の浸入を抑制する第１防水部を備えている。
【先行技術文献】
【非特許文献】
【０００３】
【特許文献１】特開２０１６−０３１９１５号公報
【発明の概要】
【発明が解決しようとする課題】
【０００４】
たとえば電源装置に高い水圧が掛かる場合、当該電源装置が防水機構を備えていても、内部への水の浸入を十分に防ぐことができない可能性がある。このため、内部への水の浸入をより確実に防ぐことのできる電源装置が望まれている。
【０００５】
この発明は、上述の課題を解決するためになされたもので、その目的は、内部への水の浸入をより確実に防ぐことのできる電源装置を提供することである。
【課題を解決するための手段】
【０００６】
（１）上記課題を解決するために、この発明のある局面に係わる電源装置は、複数の外装板金を備える電源装置であって、各前記外装板金のすき間により形成される経路が、上方向への経路である上経路を含み、前記電源装置は、さらに、前記上経路より先の位置に第１シール部材を備える。
【発明の効果】
【０００７】
本発明によれば、内部への水の浸入をより確実に防ぐことができる。
【図面の簡単な説明】
【０００８】
【図１】図１は、本発明の実施の形態に係る電源装置の構成を示す斜視図である。
【図２】図２は、比較例に係る電源装置を、図１に示す矢印Ｐの方向から見た平面図である。
【図３】図３は、図２に示すＩＩＩ−ＩＩＩ線に沿った断面を示す断面図である。
【図４】図４は、図２に示すＩＶ−ＩＶ線に沿った断面を示す断面図である。
【図５】図５は、本発明の実施の形態に係る電源装置を、図１に示す矢印Ｐの方向から見た平面図である。
【図６】図６は、図５に示すＶＩ−ＶＩ線に沿った断面を示す断面図である。
【図７】図７は、図５に示すＶＩＩ−ＶＩＩ線に沿った断面を示す断面図である。
【図８】図８は、図６に示す２つの第１シール部材、および図７に示す２つの第１シール部材の関係を示す図である。
【発明を実施するための形態】
【０００９】
最初に、本発明の実施形態の内容を列記して説明する。
【００１０】
（１）本発明の実施の形態に係る電源装置は、複数の外装板金を備える電源装置であって、各前記外装板金のすき間により形成される経路が、上方向への経路である上経路を含み、前記電源装置は、さらに、前記上経路より先の位置に第１シール部材を備える。
【００１１】
このように、外装板金同士のすき間により形成される経路が上経路を含む構成により、当該すき間から電源装置の内部への水の浸入を効果的に防ぐことができる。そして、当該上経路より先の位置に第１シール部材が設けられる構成により、電源装置の内部への水の浸入をより確実に防ぐことができる。
【００１２】
（２）好ましくは、前記電源装置は、さらに、前記上経路より手前の位置に第２シール部材を備える。
【００１３】
このような構成により、電源装置の外部から上経路への水の浸入を防ぐことができるため、電源装置の内部への水の浸入をさらに防ぐことができる。
【００１４】
（３）より好ましくは、前記外装板金同士の間の経路に前記第２シール部材が設けられる。
【００１５】
このような構成により、電源装置におけるより外部側の位置で、水の浸入を防ぐことができる。
【００１６】
（４）好ましくは、前記電源装置は、さらに、内装板金を備え、前記内装板金と前記外装板金との間に、前記第１シール部材の一部が設けられる。
【００１７】
このような構成により、内装板金と天板の外装板金とのすき間から内装板金の内側への水の浸入を、より確実に防ぐことができる。
【００１８】
（５）好ましくは、前記複数の外装板金は、天板の外装板金と、側板の外装板金とを含み、前記天板の外装板金と前記側板の外装板金との間に前記第１シール部材が設けられ、前記第１シール部材は、前記天板の外装板金の外形に沿って周回した形状を有している。
【００１９】
このような構成により、防水構造をより簡単にすることができる。
【００２０】
（６）より好ましくは、前記電源装置は、さらに、内装板金を備え、前記天板の外装板金は、自己の主表面の端においてＲ部を有しており、前記内装板金は、前記Ｒ部の形状に沿うように階段状に形成された階段部を含み、前記階段部の先と前記天板の外装板金との間に、前記第１シール部材の一部が設けられる。
【００２１】
このような構成により、天板の外装板金がＲ部を有している場合でも、電源装置の内部への水の浸入をより確実に防ぐことができる。
【００２２】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００２３】
＜全体構成＞
図１は、本発明の実施の形態に係る電源装置の構成を示す斜視図である。
【００２４】
図１を参照して、電源装置２０１は、内部に電池などを収容する筐体１０を備え、住宅の庭などの屋外に設置される。具体的には、筐体１０は、天板の外装板金（以下、単に「天板」と称する。）１１と、２つの側板の外装板金（以下、単に「側板」と称する。）１２，１３と、前板の外装板金（以下、単に「前板」と称する。）１４と、後板の外装板金（以下、単に「後板」と称する。）１５と、床板の外装板金（以下、単に「床板」と称する。）１６とを含む。
【００２５】
また、電源装置２０１は、さらに、これら６つの外装板金により形成される筐体１０の内部において、各種部品が配置される内装板金１７を備える。
【００２６】
また、電源装置２０１には、内部への水の浸入を防ぐための防水機構が設けられている。たとえば、電源装置２０１には、側板１２、側板１３、前板１４および後板１５の各外装板金と天板１１との間に、それぞれ防水機構が設けられている。以下、防水機構の構成について説明する。
【００２７】
＜防水機構の比較例＞
ここで、電源装置２０１における防水機構の比較例について説明する。図２は、比較例に係る電源装置を、図１に示す矢印Ｐの方向から見た平面図である。
【００２８】
図２を参照して、比較例に係る電源装置２０１Ａは、図１に示す筐体１０および内装板金１７にそれぞれ相当する、筐体１０Ａおよび図示しない内装板金１７Ａを備える。
【００２９】
筐体１０Ａは、図１に示す天板１１、側板１２，１３、前板１４、後板１５、および床板１６にそれぞれ相当する、天板１１Ａ、側板１２Ａ，１３Ａ、前板１４Ａ、後板１５Ａ、および図示しない床板１６Ａを含む。
【００３０】
［天板と側板との間における防水機構の比較例］
図３は、図２に示すＩＩＩ−ＩＩＩ線に沿った断面を示す断面図である。
【００３１】
図３を参照して、天板１１Ａは、側板１２Ａ側の端部において、下方向に延びる天板側部１１１ａと、天板側部１１１ａの下端から内装板金１７Ａ側へ天板１１Ａの主表面に沿って延びる天板下端部１１２ａとを含む。
【００３２】
また、天板１１Ａは、側板１３Ａ側の端部において、下方向に延びる天板側部１１１ｂと、天板側部１１１ｂの下端から内装板金１７Ａ側へ天板１１Ａの主表面に沿って延びる天板下端部１１２ｂとを含む。
【００３３】
側板１２Ａは、天板１１Ａにおける天板下端部１１２ａと対向する側板上端部１２１を含む。側板１３Ａは、天板１１Ａにおける天板下端部１１２ｂと対向する側板上端部１３１を含む。
【００３４】
電源装置２０１Ａは、天板１１Ａと側板１２Ａとのすき間、より詳細には、天板１１Ａにおける天板下端部１１２ａと側板１２Ａにおける側板上端部１２１との間に設けられるシール部材１５１を備える。また、電源装置２０１Ａは、天板１１Ａと側板１３Ａとのすき間、より詳細には、天板１１Ａにおける天板下端部１１２ｂと側板１３Ａにおける側板上端部１３１との間に設けられるシール部材１５２を備える。
【００３５】
［天板と前板との間および天板と後板との間における防水機構の比較例］
図４は、図２に示すＩＶ−ＩＶ線に沿った断面を示す断面図である。
【００３６】
図４を参照して、天板１１Ａは、さらに、自己の主表面の前板１４Ａ側の端部において、外側の角部に形成されたＲ部１１３ａと、段形状を有し、Ｒ部１１３ａの下端から前板１４Ａと内装板金１７Ａとのすき間に沿って延びる天板段部１１４ａとを含む。
【００３７】
また、天板１１Ａは、自己の主表面の後板１５Ａ側の端部において、外側の角部に形成されたＲ部１１３ｂと、段形状を有し、Ｒ部１１３ｂの下端から後板１５Ａと内装板金１７Ａとのすき間に沿って延びる天板段部１１４ｂとを含む。
【００３８】
電源装置２０１Ａは、さらに、天板１１Ａと前板１４Ａとのすき間、より詳細には、天板１１Ａにおける天板段部１１４ａと前板１４Ａとの間に設けられるシール部材１５３を備える。また、電源装置２０１Ａは、さらに、天板１１Ａと後板１５Ａとのすき間、より詳細には、天板１１Ａにおける天板段部１１４ｂと後板１５Ａとの間に設けられるシール部材１５４を備える。
【００３９】
以上のような電源装置２０１Ａの防水機構では、たとえば高い水圧が掛かる場合、図３に示すシール部材１５１，１５２、および図４に示すシール部材１５３，１５４を越えて電源装置２０１Ａの内部へ水が浸入する可能性があり、より確実に防水することのできる防水機構が望まれている。以下、本発明の実施の形態に係る電源装置２０１の防水機構の構成について説明する。
【００４０】
＜本発明の実施の形態に係る防水機構＞
［天板と側板との間における防水機構］
図５は、本発明の実施の形態に係る電源装置を、図１に示す矢印Ｐの方向から見た平面図である。図６は、図５に示すＶＩ−ＶＩ線に沿った断面を示す断面図である。
【００４１】
図５および図６を参照して、本発明の実施の形態に係る電源装置２０１における天板１１は、図３に示す天板１１Ａと同様に、側板１２側の端部および側板１３側の端部において、それぞれ下方向へ延びる天板側部２１ａ，２１ｂを含む。また、天板１１は、図３に示す天板１１Ａと同様に、天板側部２１ａ，２１ｂの下端から内装板金１７側へ天板１１の主表面に沿って延びる天板下端部２２ａ，２２ｂを含む。
【００４２】
側板１２は、図３に示す側板１２Ａと同様に、天板１１における天板下端部２２ａと対向する側板上端部３１を含む。また、側板１２は、段形状を有し、側板上端部３１から天板１１の内側において上方向へ延びる側板段部３２を含む。
【００４３】
このような構成により、天板１１と側板１２とのすき間には、上方向への経路である上経路Ｌ１１と、上経路Ｌ１１より先に位置する横経路Ｌ１２と、上経路Ｌ１１より手前に位置する横経路Ｌ１３とが形成される。より詳細には、横経路Ｌ１２は、上経路Ｌ１１の上端から筐体１０の内側へ向かって延びている。また、横経路Ｌ１３は、上経路Ｌ１１の下端から筐体１０の外側へ向かって延びている。
【００４４】
側板１３は、図３に示す側板１３Ａと同様に、天板１１における天板下端部２２ｂと対向する側板上端部４１を含む。また、側板１３は、段形状を有し、側板上端部４１から天板１１の内側において上方向へ延びる側板段部４２を含む。
【００４５】
このような構成により、天板１１と側板１３とのすき間には、上方向への経路である上経路Ｌ２１と、上経路Ｌ２１より先に位置する横経路Ｌ２２と、上経路Ｌ２１より手前に位置する横経路Ｌ２３とが形成される。より詳細には、横経路Ｌ２２は、上経路Ｌ２１の上端から筐体１０の内側へ向かって延びている。また、横経路Ｌ２３は、上経路Ｌ２１の下端から筐体１０の外側へ向かって延びている。
【００４６】
電源装置２０１は、横経路Ｌ１２、すなわち天板１１と側板１２における側板段部３２との間に設けられる第１シール部材５１と、横経路Ｌ２２、すなわち天板１１と側板１３における側板段部４２との間に設けられる第１シール部材５２とを備える。
【００４７】
また、電源装置２０１は、横経路Ｌ１３、すなわち天板１１における天板下端部２２ａと側板１２における側板上端部３１との間に設けられる第２シール部材５３を備える。また、電源装置２０１は、横経路Ｌ２３、すなわち天板１１における天板下端部２２ｂと側板１３における側板上端部４１との間に設けられる第２シール部材５４を備える。
【００４８】
なお、電源装置２０１は、第２シール部材５３，５４を備えない構成であってもよい。しかしながら、電源装置２０１では、天板１１と側板１２とのすき間に形成される経路を、第１シール部材５１および第２シール部材５３の２つのシール部材により塞ぎ、天板１１と側板１３とのすき間に形成される経路を、第１シール部材５２および第２シール部材５４の２つのシール部材により塞ぐ構成により、内部への水の浸入をより確実に防ぐことができる。すなわち、電源装置２０１は、第２シール部材５３，５４を備える構成が好ましい。
【００４９】
また、図６に示す防水機構は、側板１２，１３と天板１１との間に設けられる構成に限られない。すなわち、前板１４と天板１１との間、および後板１５と天板１１との間の少なくともいずれか１箇所に、図６に示す防水機構と同様の防水機構が設けられてもよい。
【００５０】
［天板と前板との間および天板と後板との間における防水機構］
図７は、図５に示すＶＩＩ−ＶＩＩ線に沿った断面を示す断面図である。
【００５１】
図７を参照して、本発明の実施の形態に係る電源装置２０１における天板１１は、図４に示す天板１１Ａと同様に、自己の主表面の前板１４側の端部および後板１５側の端部において、それぞれ、外側の角部に形成されたＲ部６１ａ，６１ｂを含む。また、天板１１は、図４に示す天板１１Ａと同様に、段形状を有し、Ｒ部６１ａの下端から前板１４と内装板金１７とのすき間に沿って延びる天板段部６２ａと、段形状を有し、Ｒ部６１ｂの下端から後板１５と内装板金１７とのすき間に沿って延びる天板段部６２ｂとを含む。
【００５２】
内装板金１７は、前板１４側の端部において、Ｒ部６１ａに沿って昇段するように形成された階段部７５ａと、後板１５側の端部において、Ｒ部６１ｂに沿って昇段するように形成された階段部７５ｂとを含む。
【００５３】
階段部７５ａ，７５ｂは、それぞれ、天板１１の主表面に沿って後板１５側へ延びる第１部分７１ａ，７１ｂと、第１部分７１ａ，７１ｂの端部から上方向へ延びる第２部分７２ａ，７２ｂと、第２部分７２ａ，７２ｂの端部から天板１１の主表面に沿って前板１４側へ延びる第３部分７３ａ，７３ｂとを含む。
【００５４】
そして、電源装置２０１は、さらに、内装板金１７と天板１１との間、すなわち、内装板金１７における第３部分７３ａ，７３ｂと天板１１との間にそれぞれ設けられる、第１シール部材５５，５６を備える。
【００５５】
また、電源装置２０１は、さらに、天板１１と前板１４とのすき間、すなわち天板１１における天板段部６２ａと前板１４との間に設けられる第３シール部材５７と、天板１１と後板１５とのすき間、すなわち天板１１における天板段部６２ｂと後板１５との間に設けられる第３シール部材５８とを備える。
【００５６】
なお、電源装置２０１は、第３シール部材５７，５８を備えない構成であってもよい。しかしながら、電源装置２０１では、天板１１と前板１４とのすき間、および天板１１と後板１５とのすき間を、それぞれ第３シール部材５７，５８により塞ぐ構成により、内部への水の浸入をより確実に防ぐことができる。すなわち、電源装置２０１は、第３シール部材５７，５８を備える構成が好ましい。
【００５７】
また、前板１４および後板１５は、図６に示す側板１２，１３のように、天板１１の内側において上方向へ延びる段部を含む構成であってもよい。この場合、天板１１と前板１４における段部との間にシール部材を設けたり、天板１１と後板１５における段部との間にシール部材を設けたりしてもよい。
【００５８】
また、図６に示す側板１２，１３が側板段部３２，４２を含む代わりに、内装板金１７が、側板１２，１３側の端部において、図７に示す階段部７５ａ，７５ｂのような階段部を含む構成であってもよい。この場合、天板１１と内装板金１７における当該階段部との間にシール部材を設けてもよい。
【００５９】
また、天板１１は、図７に示す前板１４側の端部および後板１５側の端部に限らず、さらに、図６に示す側板１２側の端部および側板１３側の端部においても、自己の主表面の端部に形成されたＲ部を含む構成であってもよい。
【００６０】
また、天板１１は、側板１２側の端部、側板１３側の端部、前板１４側の端部、および後板１５側の端部のいずれにおいても、Ｒ部を含まない構成であってもよい。
【００６１】
また、図７に示す防水機構は、前板１４と天板１１との間および後板１５と天板１１との間に設けられる構成に限られない。すなわち、側板１２と天板１１との間、および側板１３と天板１１との間の少なくともいずれか１箇所に、図７に示す防水機構と同様の防水機構が設けられてもよい。
【００６２】
［第１シール部材の形状］
図８は、図６に示す２つの第１シール部材、および図７に示す２つの第１シール部材の関係を示す図である。
【００６３】
図６〜図８を参照して、図６に示す第１シール部材５１および第１シール部材５２は互いに平行である。また、図７に示す第１シール部材５５および第１シール部材５６は互いに平行である。
【００６４】
そして、図８に示すように、第１シール部材５１の両端が、第１シール部材５５の第１端および第１シール部材５６の第１端にそれぞれ連結され、第１シール部材５２の両端が、第１シール部材５５の第２端および第１シール部材５６の第２端にそれぞれ連結されている。すなわち、４つの第１シール部材５１，５２，５５，５６は、連結されることにより、たとえば四角形である天板１１の外形に沿って周回する形状を有している。
【００６５】
なお、第１シール部材５１，５２，５５，５６の連結された形状は、天板１１の外形と異なる形状であってもよい。また、第１シール部材５１，５２，５５，５６は、連結されなくてもよい。
【００６６】
また、第１シール部材５１，５２，５５，５６は、連続した１つの部材であってもよい。
【００６７】
ところで、たとえば電源装置に高い水圧が掛かる場合、当該電源装置が防水機構を備えていても、内部への水の浸入を十分に防ぐことができない可能性がある。このため、内部への水の浸入をより確実に防ぐことのできる電源装置が望まれている。
【００６８】
これに対して、本発明の実施の形態に係る電源装置２０１では、天板１１と側板１２，１３とのすき間により形成される経路が、上方向への経路である上経路Ｌ１１，Ｌ２１を含む。そして、電源装置２０１は、上経路Ｌ１１，Ｌ２１より先に位置する横経路Ｌ１２，Ｌ２２、に設けられる第１シール部材５１，５２を備える。
【００６９】
このように、天板１１と側板１２，１３とのすき間により形成される経路が上経路Ｌ１１，Ｌ２１を含む構成により、当該すき間から電源装置２０１の内部への水の浸入を効果的に防ぐことができる。そして、横経路Ｌ１２，Ｌ２２に第１シール部材５１，５２が設けられる構成により、電源装置２０１の内部への水の浸入をより確実に防ぐことができる。
【００７０】
また、本発明の実施の形態に係る電源装置２０１は、さらに、上経路Ｌ１１，Ｌ２１より手前の位置に第２シール部材５３，５４を備える。
【００７１】
このような構成により、電源装置２０１の外部から上経路Ｌ１１，Ｌ２１への水の浸入を防ぐことができるため、電源装置２０１の内部への水の浸入をさらに防ぐことができる。
【００７２】
また、本発明の実施の形態に係る電源装置２０１では、天板１１と側板１２，１３との間の横経路Ｌ１３，Ｌ２３に第２シール部材５３，５４が設けられる。
【００７３】
このような構成により、電源装置２０１におけるより外部側の位置で、水の浸入を防ぐことができる。
【００７４】
また、本発明の実施の形態に係る電源装置２０１では、内装板金１７と天板１１との間に、第１シール部材５５，５６が設けられる。
【００７５】
このような構成により、内装板金１７と天板１１とのすき間から内装板金１７の内側への水の浸入を、より確実に防ぐことができる。
【００７６】
また、本発明の実施の形態に係る電源装置２０１では、第１シール部材５１，５２，５５，５６は、天板１１の外装板金の外形に沿って周回した形状を有している。
【００７７】
このような構成により、防水構造をより簡単にすることができる。
【００７８】
また、本発明の実施の形態に係る電源装置２０１では、天板１１は、自己の主表面の端においてＲ部６１ａ，６１ｂを有する。また、内装板金１７は、Ｒ部６１ａ，６１ｂの形状に沿うように階段状に形成された階段部７５ａ，７５ｂを含む。そして、第１シール部材５５，５６は、階段部７５ａ，７５ｂの先と天板１１との間に設けられる。
【００７９】
このような構成により、天板１１がＲ部６１ａ，６１ｂを有している場合でも、電源装置２０１の内部への水の浸入をより確実に防ぐことができる。
【００８０】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【００８１】
以上の説明は、以下に付記する特徴を含む。
【００８２】
［付記１］
複数の外装板金を備える電源装置であって、
各前記外装板金のすき間により形成される経路が、上方向への経路である上経路を含み、
前記電源装置は、さらに、
前記上経路より先の位置に第１シール部材を備え、
前記複数の外装板金は、
天板の外装板金と、
側板の外装板金とを含み、
前記第１シール部材は、前記複数の外装板金により形成される筐体の内部における前記上経路より先の位置であって、前記天板の外装板金と前記側板の外装板金とのすき間に設けられる、電源装置。
【符号の説明】
【００８３】
１０，１０Ａ  筐体
１１，１１Ａ  天板（天板の外装板金）
１２，１２Ａ，１３，１３Ａ  側板（側板の外装板金）
１４，１４Ａ  前板（前板の外装板金）
１５，１５Ａ  後板（後板の外装板金）
１６，１６Ａ  床板（床板の外装板金）
１７，１７Ａ  内装板金
２１ａ，２１ｂ，１１１ａ，１１１ｂ  天板側部
２２ａ，２２ｂ，１１２ａ，１１２ｂ  天板下端部
３１，４１，１２１，１３１  側板上端部
３２，４２  側板段部
５１，５２，５５，５６  第１シール部材
５３，５４  第２シール部材
５７，５８  第３シール部材
６１ａ，６１ｂ，１１３ａ，１１３ｂ  Ｒ部
６２ａ，６２ｂ，１１４ａ，１１４ｂ  天板段部
７１ａ，７１ｂ  第１部分
７２ａ，７２ｂ  第２部分
７３ａ，７３ｂ  第３部分
７５ａ，７５ｂ  階段部
１５１，１５２，１５３，１５４  シール部材
２０１，２０１Ａ  電源装置
【図１】
2019003756.tif 000003
【図２】
2019003756.tif 000004
【図３】
2019003756.tif 000005
【図４】
2019003756.tif 000006
【図５】
2019003756.tif 000007
【図６】
2019003756.tif 000008
【図７】
2019003756.tif 000009
【図８】
2019003756.tif 000010